(57)【要約】【課題】排気管や二番物還元装置にワラ屑等が降りかかるのを防止できるようにすることが望まれていた。【解決手段】穀粒貯留部の機体横一側に位置する脱穀装置４と、脱穀装置４で回収された二番物を脱穀装置４の前側部分に還元搬送する二番物還元装置２６と、運転部の下方に位置するエンジン７と、エンジン７からの排ガスを機体外部に排出する排気管３５とが備えられ、排気管３５が、穀粒貯留部と脱穀装置４との間を、二番物還元装置２６の上方を通過する状態で通されており、排気管３５の上方及び排気管３５の穀粒貯留部側の側方を覆うカバー５０が備えられ、カバー５０のうち排気管３５の穀粒貯留部側の側方を覆う横カバー部５２の下端は、二番物還元装置２６の上端部まで延ばされている。【選択図】図３
2018139545.tif 000002
【特許請求の範囲】
【請求項１】
運転部と、前記運転部の後方に位置する穀粒貯留部と、前記穀粒貯留部の機体横一側に位置する脱穀装置と、前記脱穀装置で回収された二番物を前記脱穀装置の前側部分に還元搬送する二番物還元装置と、前記運転部の下方に位置するエンジンと、前記エンジンからの排ガスを機体外部に排出する排気管とが備えられ、
前記排気管が、前記穀粒貯留部と前記脱穀装置との間を、前記二番物還元装置の上方を通過する状態で通されており、
前記排気管の上方及び前記排気管の前記穀粒貯留部側の側方を覆うカバーが備えられ、
前記カバーのうち前記排気管の前記穀粒貯留部側の側方を覆う横カバー部の下端は、前記二番物還元装置の上端部まで延ばされているコンバイン。
【請求項２】
前記横カバー部が、前記穀粒貯留部の前端部よりも前側まで延ばされている請求項１に記載のコンバイン。
【請求項３】
前記二番物還元装置に、前記脱穀装置の下部に接続されて上向きに延びる二番縦搬送部と、前記二番縦搬送部の上端部から前向きに延びる二番横搬送部と、が備えられ、
前記排気管に、前記エンジン側に位置する後上がり姿勢の第１排気管部と、前記第１排気管部と連なり前記二番縦搬送部の上方を通過する第２排気管部とが備えられ、
前記第１排気管部と前記第２排気管部とが、前記二番縦搬送部よりも前側で連結され、
前記横カバー部が、前記第１排気管部の側方を覆っている請求項１又は２に記載のコンバイン。
【請求項４】
前記横カバー部が、前記第１排気管部の側方と前記第２排気管部の側方とに亘るように設けられている請求項３に記載のコンバイン。
【請求項５】
前記脱穀装置の下部に接続されて上向きに延び、前記脱穀装置で回収された穀粒を前記穀粒貯留部の上部入口に搬送する揚穀装置が備えられ、
前記カバーのうち前記排気管の上方を覆う上カバー部は、前記揚穀装置と前記脱穀装置との間を通って前後方向に延びている請求項１から４のいずれか１項に記載のコンバイン。
【請求項６】
前記揚穀装置を前記脱穀装置に支持するステーが、前記上カバー部の上方を通されている請求項５に記載のコンバイン。
【請求項７】
前記上カバー部は、前記脱穀装置の前部の側方から前記脱穀装置の後部の側方まで延びており、
前記排気管は、前記上カバー部の下方位置を、平面視において前記二番物還元装置の上方位置から前記エンジン側の排気口まで直線状又は略直線状に延びている請求項５又は６に記載のコンバイン。
【請求項８】
前記横カバー部は、前記上カバー部の前記穀粒貯留部側の端部から下方に延びる平板形状に形成されている請求項５から７のいずれか１項に記載のコンバイン。
【請求項９】
前記排気管の後部は、後上側に向けて曲げられ、
前記上カバー部及び前記横カバー部は、前記排気管の後部の曲げ箇所まで延ばされている請求項５から８のいずれか１項に記載のコンバイン。
【発明の詳細な説明】
【技術分野】
【０００１】
本発明は、エンジンからの排ガスを機体外部に排出する排気管が備えられているコンバインに関する。
【背景技術】
【０００２】
従来、エンジンからの排ガスを外部に排出する排気管が、脱穀装置と穀粒タンクとの間において後上がり姿勢で延設され、機体後部の高い位置から排ガスを排出するように構成され、排気管の穀粒タンク側の側方を覆う側部カバー部材は、二番物還元装置の上端と排気管との間の空間の横測は開放する状態で設けられていた（例えば、特許文献１参照）。
【先行技術文献】
【特許文献】
【０００３】
【特許文献１】特開２０１５−１２８４１５号公報
【発明の概要】
【発明が解決しようとする課題】
【０００４】
上記従来構成では、二番物還元装置の上端と排気管との間の空間の横測は開放された状態となっているから、刈取作業に伴って発生するワラ屑等が、脱穀装置と穀粒タンクとの間の隙間を通して、二番物還元装置に降りかかり、その上部にワラ屑が堆積するおそれがあり、この点で未だ改善の余地があった。
【０００５】
そこで、排気管だけでなく二番物還元装置にワラ屑等が降りかかるのを防止できるようにすることが望まれていた。
【課題を解決するための手段】
【０００６】
本発明に係るコンバインの特徴構成は、運転部と、前記運転部の後方に位置する穀粒貯留部と、前記穀粒貯留部の機体横一側に位置する脱穀装置と、前記脱穀装置で回収された二番物を前記脱穀装置の前側部分に還元搬送する二番物還元装置と、前記運転部の下方に位置するエンジンと、前記エンジンからの排ガスを機体外部に排出する排気管とが備えられ、
前記排気管が、前記穀粒貯留部と前記脱穀装置との間を、前記二番物還元装置の上方を通過する状態で通されており、
前記排気管の上方及び前記排気管の前記穀粒貯留部側の側方を覆うカバーが備えられ、
前記カバーのうち前記排気管の前記穀粒貯留部側の側方を覆う横カバー部の下端は、前記二番物還元装置の上端部まで延ばされている点にある。
【０００７】
本発明によれば、排気管は二番物還元装置の上方を通過する状態で穀粒貯留部と脱穀装置との間を通っている。そして、排気管の上方及び排気管の穀粒貯留部側の側方がカバーによって覆われるので、排気管の上部にワラ屑が降りかかり堆積するおそれが少ない。そして、カバーのうち排気管の穀粒貯留部側の側方を覆う横カバー部の下端は、二番物還元装置の上端部まで延ばされている。その結果、排気管とその下方に位置する二番物還元装置との間の穀粒貯留部側の側方が横カバーにより覆われるので、二番物還元装置にワラ屑が降りかかり堆積するおそれが少ない。
【０００８】
従って、排気管だけでなく二番物還元装置にワラ屑等が降りかかるのを防止することができる。
【０００９】
本発明においては、前記横カバー部が、前記穀粒貯留部の前端部よりも前側まで延ばされていると好適である。
【００１０】
本構成によれば、穀粒貯留部と運転部との間の隙間からワラ屑等が降りかかることがあっても、穀粒貯留部の前端部よりも前側まで延びている横カバー部によって、排気管にワラ屑等が降りかかることを防止できる。
【００１１】
本発明においては、前記二番物還元装置に、前記脱穀装置の下部に接続されて上向きに延びる二番縦搬送部と、前記二番縦搬送部の上端部から前向きに延びる二番横搬送部と、が備えられ、
前記排気管に、前記エンジン側に位置する後上がり姿勢の第１排気管部と、前記第１排気管部と連なり前記二番縦搬送部の上方を通過する第２排気管部とが備えられ、
前記第１排気管部と前記第２排気管部とが、前記二番縦搬送部よりも前側で連結され、
前記横カバー部が、前記第１排気管部の側方を覆っていると好適である。
【００１２】
本構成によれば、後上がり姿勢の第１排気管部とそれに連なる第２排気管部とが別体で形成されてそれらが連結されている。このようにエンジン側の低い排気部から後上がり経路を形成する第１排気管部と、二番物還元装置の上方を通過する第２排気管部とを別体にすることで、例えば、管部材を湾曲形成する等の煩わしい手間が不要であり、簡単な加工で済ませることが可能となる。又、第１排気管部と第２排気管部とが、二番縦搬送部よりも前側で連結されるので、第１排気管部の後上がり姿勢を急傾斜状態にして塵埃が堆積し難いものにさせやすい。しかも、横カバー部が第１排気管部の側方を覆うので、第１排気管部へのワラ屑等の降りかかりを防止できる。
【００１３】
本発明においては、前記横カバー部が、前記第１排気管部の側方と前記第２排気管部の側方とに亘るように設けられていると好適である。
【００１４】
本構成によれば、横カバー部によって、第１排気管部及び第２排気管部の側方を広い範囲にわたって多くことができ、第１排気管部及び第２排気管部の夫々に対するワラ屑等の降りかかりを防止できる。
【００１５】
本発明においては、前記脱穀装置の下部に接続されて上向きに延び、前記脱穀装置で回収された穀粒を前記穀粒貯留部の上部入口に搬送する揚穀装置が備えられ、
前記カバーのうち前記排気管の上方を覆う上カバー部は、前記揚穀装置と前記脱穀装置との間を通って前後方向に延びていると好適である。
【００１６】
本構成によれば、上カバー部は揚穀装置と脱穀装置との間を通って前後方向に延びている。しかも、上カバー部は、二番物還元装置の上方を通過する排気管よりも上側に位置するので、揚穀装置や二番物還元装置により影響を受けることなく、脱穀装置と穀粒貯留部との間において前後方向に沿って長く設けられる。従って、上カバー部は、排気管の上方を前後方向に長い範囲にわたって良好に覆うことができる。
【００１７】
本発明においては、前記揚穀装置を前記脱穀装置に支持するステーが、前記上カバー部の上方を通されていると好適である。
【００１８】
本構成によれば、ステーによって揚穀装置が脱穀装置に支持される。ステーは上カバー部の上方を通る高い位置に設けられるので、穀粒を上方に搬送するために上方に延びる背高の揚穀装置を安定的に支持することができる。
【００１９】
本発明においては、前記上カバー部は、前記脱穀装置の前部の側方から前記脱穀装置の後部の側方まで延びており、
前記排気管は、前記上カバー部の下方位置を、平面視において前記二番物還元装置の上方位置から前記エンジン側の排気口まで直線状又は略直線状に延びていると好適である。
【００２０】
本構成によれば、上カバー部は、脱穀装置の前部の側方から脱穀装置の後部の側方まで前後方向に長い領域にわたって排気管の上方を覆うことができる。そして、排気管は、平面視において二番物還元装置の上方位置からエンジン側の排気口まで直線状又は略直線状に延びているから、機体横方向に幅狭の領域に配置することができ、上カバー部も機体横方向に幅狭に形成することができる。
【００２１】
その結果、上カバー部は、排気管の上方を前後方向に長い範囲にわたって良好に覆うことが可能でありながら、排気管並びに上カバー部を機体横方向に沿ってコンパクトに収めることができる。
【００２２】
本発明においては、前記横カバー部は、前記上カバー部の前記穀粒貯留部側の端部から下方に延びる平板形状に形成されていると好適である。
【００２３】
本構成によれば、横カバー部は、穀粒貯留部側の端部から下方に延びる平板形状に形成されているので、横カバー部は平板形状の簡単な構造となり、カバーの構成の簡素化を図れる。
【００２４】
本発明においては、前記排気管の後部は、後上側に向けて曲げられ、
前記上カバー部及び前記横カバー部は、前記排気管の後部の曲げ箇所まで延ばされていると好適である。
【００２５】
本構成によれば、排気管の後部は、後上側に向けて曲げられるので、後端の排気口が上向きに開口されることになり、排気を外方に放散させ易い。上カバー部及び横カバー部は、排気管における後部の曲げ箇所よりも前部側を覆うことができる。
【００２６】
排気管の曲げ箇所よりも前部側は、二番物還元装置の上方を通過するように傾きの少ない姿勢で前後方向に延びているので、塵埃等が上側に堆積するおそれがある。そこで、排気管の曲げ箇所よりも前部側を上カバー部及び横カバー部によって覆うことにより、塵埃等が排気管の上部に降りかかって堆積することを有効に回避できる。尚、排気管の曲げ箇所よりも後部側は、機体前部に位置する刈取部から離間しているので刈取作業に伴って発生する塵埃は少なく、しかも、排気管は後上がり傾斜姿勢であるから、塵埃が降りかかっても傾斜面により流下案内されるので堆積するおそれは少ない。
【図面の簡単な説明】
【００２７】
【図１】コンバインの全体側面図である。
【図２】コンバインの全体平面図である。
【図３】コンバイン後部の縦断側面図である。
【図４】コンバイン後部の平面図である。
【図５】コンバインの背面図である。
【発明を実施するための形態】
【００２８】
以下、本発明に係る実施形態をコンバインの一例としての普通型コンバインに適用した場合について図面に基づいて説明する。
【００２９】
〔全体構成〕
図１及び図２に示すように、普通型コンバインは、左右一対のクローラ走行装置１を備えた走行機体２の前部右側に運転部３が備えられ、その後方には、刈り取られた作物を脱穀処理する脱穀装置４と、脱穀処理により得られた穀粒を貯留する穀粒貯留部としての穀粒タンク５とが備えられている。穀粒タンク５が機体右側に位置し、脱穀装置４が機体左側に位置する状態で並んで備えられる。すなわち、穀粒タンク５は運転部３の後方に位置し、脱穀装置４は、穀粒タンク５の機体横一側に位置する状態で備えられる。穀粒タンク５の後部には、穀粒タンク５に貯留される穀粒を機体外部に搬出する穀粒排出装置としてのアンローダ６が備えられている。又、運転部３の下方に位置する状態でエンジン７が備えられ、このエンジン７の動力が、コンバインの各部に伝達される。
【００３０】
この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００３１】
脱穀装置４の前部に横軸芯周りに上下揺動自在に刈取穀稈搬送用のフィーダ８が連結され、このフィーダ８の前端に略機体横幅に相当する刈幅を有する刈取部９が連結されている。刈取部９は、植立穀稈を後方に向けて掻き込む回転リール１０、植立穀稈の株元を切断して刈り取るバリカン型の刈取装置１１、刈取穀稈を機体横幅方向中間側へ横送り移送する横送りオーガ１２等を備えており、刈取装置１１により刈り取った穀稈を横送りオーガ１２によって横送りしてフィーダ８に供給する。脱穀装置４の後部には、脱穀処理済の茎稈屑等を細断するチョッパ１３が備えられている。
【００３２】
脱穀装置４は、左右両側が側壁１４によって覆われ、上部が天板１５によって覆われている。そして、図示はしないが、左右の側壁１４と天板１５により囲われた内部空間の上部側に、扱胴と受網（図示せず）とを有し、フィーダ８より搬送されてくる刈取穀稈の扱き処理を行う扱室が形成されている。又、扱室の下部に、受網から漏下する扱き処理物を、穀粒、枝付き籾等の未脱穀処理物としての二番物、及び、排ワラ屑等に選別する選別処理部が備えられている。
【００３３】
選別処理部にて選別された穀粒は、一番物回収スクリューにより脱穀装置４の穀粒タンク５側の横側外方に排出される。脱穀装置４における穀粒タンク５側の側壁１４の横外側方に揚穀装置２０が備えられている。脱穀装置４の穀粒タンク５側の横側外方に排出された穀粒は、揚穀装置２０により、穀粒タンク５の上部入口２１に向けて上方に搬送され、穀粒タンク５内に貯留される。揚穀装置２０は、縦軸芯周りで回転するスクリューコンベアにて構成され、鉛直方向に沿って上方に延びている。
【００３４】
図３，４に示すように、揚穀装置２０の上部側箇所が、平面視で略Ｌ字形の板体からなる前後一対の連結用ステー２２により脱穀装置４の側壁１４に連結固定されている。一対の連結用ステー２２は夫々、一端部が揚穀装置２０の外周部に溶接にて連結され、他端部が、脱穀装置４の側壁１４に固定されたブラケット２４にボルト連結されている。  
【００３５】
選別処理部にて得られた二番物は、二番物回収スクリュー（図示せず）により脱穀装置４の穀粒タンク５側の横側外方に排出され、脱穀装置４における穀粒タンク５側の横側に備えられた二番物還元装置２６により、脱穀装置４の前側部分に還元される。
【００３６】
図３，４に示すように、二番物還元装置２６には、脱穀装置４の下部に接続されて上向きに延びる二番縦搬送部２６Ａと、二番縦搬送部２６Ａの上端部から前向きに延びる二番横搬送部２６Ｂとが備えられている。二番縦搬送部２６Ａは、揚穀装置２０と同様に、縦軸芯周りで回転するスクリューコンベアにて構成され、鉛直方向に沿って上方に延びている。
【００３７】
二番縦搬送部２６Ａの上端部に、脱穀装置４の内部に向けて開口する排出口２７が設けられている。二番縦搬送部２６Ａの上端部に備えられた掻き出し羽根２８によって、排出口２７を通して二番物を脱穀装置４内に跳ね飛ばし搬送する。そして、二番横搬送部２６Ｂは、跳ね飛ばされた二番物を脱穀装置４の前側部分に向けて案内するように、平面視で前側ほど内側に位置する斜め姿勢に形成され、且つ、上下方向に広幅に形成されている。
【００３８】
図１に示すように、穀粒タンク５の底部には、その内部に貯留した穀粒を後方に向けて送り出す前後向きの底スクリュー２９が備えられている。底スクリュー２９の左右両側に位置する穀粒タンク５の底面は、底スクリュー２９側が下方に位置する傾斜姿勢に形成されている。底スクリュー２９は、機体後面視で左右幅方向の中央位置よりも横外側方（右側）に偏倚した位置に設けられている。
【００３９】
図１，２に示すように、アンローダ６には、穀粒タンク５の下部に備えられた底スクリュー２９により横向きに外方に送り出された穀粒を上方に向けて搬送する縦スクリューコンベア６ａと、縦スクリューコンベア６ａの搬送終端部から水平方向に穀粒を搬送する横スクリューコンベア６ｂと、縦スクリューコンベア６ａの下部と脱穀装置４とを接続する接続ケース６ｃとが備えられている。アンローダ６は、穀粒を搬送したのち横スクリューコンベア６ｂの先端部に形成された排出口６ｄから穀粒を外部に排出する。
【００４０】
縦スクリューコンベア６ａは、図５に示すように、縦スクリューコンベア６ａの左側に機体フレーム３２から立設した後部側縦フレーム３０に対して回動保持部３１を介して回動自在に支持されている。縦スクリューコンベア６ａの下端部は接続ケース６ｃにて回動自在に機体フレーム３２に支持されている。そして、アンローダ６は、図示しない電動モータによって縦スクリューコンベア６ａの縦向き軸芯Ｙ周りで旋回操作可能に構成されている。穀粒タンク５は、機体内方に引退して穀粒を貯留する作用姿勢と、機体外方に張り出すメンテナンス姿勢とにわたり、縦向き軸芯Ｙ周りで揺動自在に縦スクリューコンベア６ａに支持されている。
【００４１】
〔排気管〕
次に、エンジン７からの排気が通流する排気管３５について説明する。
図１に示すように、運転部３の下方にエンジン７が備えられている。エンジン７から排出される排気（燃焼後の排ガス）は、エンジン７の左側上部に位置するマフラー３６を通過したのち、排気管３５を通して流動して排気口３７から外方に排出される。マフラー３６の排気筒３６ａは、マフラー３６の後部から後方側の斜め上向き姿勢で排気を排出するように設けられている。排気管３５は、脱穀装置４と穀粒タンク５との間を、二番物還元装置２６の上方を通過する状態で通されている。
【００４２】
排気管３５には、エンジン７側に位置する後上がり姿勢の第１排気管部３５Ａと、第１排気管部３５Ａと連なり二番物還元装置２６の上方を通過する略水平姿勢の第２排気管部３５Ｂと、第２排気管部３５Ｂと連なり後上がり姿勢の第３排気管部３５Ｃとが備えられている。第１排気管部３５Ａ、第２排気管部３５Ｂ、及び、第３排気管部３５Ｃは、夫々、直線状に延びる管部材からなり、第１排気管部３５Ａと第２排気管部３５Ｂとが溶接にて連結され、第２排気管部３５Ｂと第３排気管部３５Ｃとが溶接にて連結されている。
【００４３】
図３，４に示すように、第１排気管部３５Ａは、マフラー３６の排気筒３６ａに対応する位置から、脱穀装置４の右側の側壁１４の上端部近くの位置であって且つ揚穀装置２０の横側に対応する位置にわたって、後方上方に向けて延びている。
【００４４】
第１排気管部３５Ａの機体前部側にマフラー３６から排出される排気が供給される供給口３８が形成されている。供給口３８は、マフラー３６の排気筒３６ａの外周部を囲う状態で且つ排気筒３６ａとの間に径方向に間隔をあけた状態で形成されている。マフラー３６の排気筒３６ａと供給口３８の内面との間には、外気取り入れ部３９として機能する隙間が形成されている。排気の流動に伴うエジェクター作用によって外気取り入れ部３９を通して外気が吸引されて、排気と外気とが混合して排気の温度を下げることができる。
【００４５】
第２排気管部３５Ｂは、第１排気管部３５Ａの後端部に連通接続され、二番物還元装置２６の上方を通過する状態で略水平姿勢で前後方向に沿って延設されている。第２排気管部３５Ｂは、第１排気管部３５Ａとの接続箇所から穀粒タンク５の後部側箇所の横側に対応する位置にわたって、略水平方向に延ばされている。第１排気管部３５Ａと第２排気管部３５Ｂとは、二番物還元装置２６よりも前部側で連結されている。
【００４６】
第３排気管部３５Ｃは、第２排気管部３５Ｂの後端部に連通接続され、その接続箇所から機体後方上方に向けて延設されている。第３排気管部３５Ｃの機体後部側に排気を機体外部に排出する排気口３７が形成されている。第３排気管部３５Ｃは、側面視で脱穀装置４の後端部よりも機体後方側に突出するように、且つ、平面視で穀粒タンク５側に向けて傾斜するように、第２排気管部３５Ｂとの接続箇所から後方側の右上方向に斜め姿勢で延ばされている。従って、排気管３５の後部としての第３排気管部３５Ｃは後上側に曲げられている。
【００４７】
第３排気管部３５Ｃは第２排気管部３５Ｂよりも大径に形成され、第２排気管部３５Ｂの後端部と第３排気管部３５Ｃの前端部との接続箇所では、それらの間に径方向に沿って隙間が形成され、第２排気管部３５Ｂの前端部と同様に、エジェクター作用を利用した外気取り入れ部４０が形成されている。第３排気管部３５Ｃの後端部には、排気口３７から後方に向けて排出される排気がアンローダ６に備えられる電気配線等に降りかかるのを防止すべく、排気が上方に流動しないように案内する傾斜案内体４１が備えられている。
【００４８】
排気管３５の支持構造について説明する。
図３，４，５に示すように、運転部３と穀粒タンク５との間に、機体フレーム３２から上方に向けて延びる前部側縦向きフレーム４２が設けられている。前部側縦向きフレーム４２の上下途中部から脱穀装置４の側壁１４に向けて前部側横向きフレーム４３が延設されている。第１排気管部３５Ａの前後途中部が、支持ブラケット４４を介して前部側横向きフレーム４３に支持されている。第２排気管部３５Ｂの前後途中部が支持ブラケット４５を介して図示しない支持フレームに支持されている。
【００４９】
二番物還元装置２６の後部側に位置する脱穀装置４の側部の前後方向中間部において、脱穀装置４の側壁１４の上下途中部から斜め上方に向けて中間傾斜フレーム４６が延設されている。第３排気管部３５Ｃの前部側端部が支持ブラケット４７を介して、中間傾斜フレーム４６の上端部に支持されている。
【００５０】
図３，５に示すように、アンローダ６を支持する後部側縦フレーム３０と脱穀装置４の側壁１４とにわたって左右方向に延びる後部側横向きフレーム４８が設けられている。そして、図３に示すように、第３排気管部３５Ｃの後部側箇所が、支持ブラケット４９を介して後部側横向きフレーム４８に支持されている。
【００５１】
図４に示すように、第１排気管部３５Ａの前端部である供給口３８の形成箇所から第２排気管部３５Ｂの後端部に至るまでの間は、全長にわたって、平面視において直線状又は略直線状に延びている。すなわち、二番物還元装置２６の上方位置からエンジン側の排気口であるマフラー３６の排気筒３６ａの出口まで平面視において直線状又は略直線状に延びている。このように、排気管３５は、脱穀装置４と穀粒タンク５との間に、機体横幅方向にコンパクトに収めた状態で配備されている。
【００５２】
〔排気管のカバー〕
図３，４，５に示すように、排気管３５の上方及び排気管３５の穀粒タンク５側の側方を覆うカバー５０が備えられている。カバー５０には、排気管３５の上方を覆う上カバー部５１と、排気管３５の穀粒タンク５側の側方を覆う横カバー部５２とが備えられている。
【００５３】
説明を加えると、カバー５０は、脱穀装置４の右側の横側箇所に備えられ、脱穀装置４の側壁１４に沿って機体前後方向に延びている。カバー５０のうち上カバー部５１は、揚穀装置２０と脱穀装置４との間を通って前後方向に延びており、脱穀装置４の前部の側方から脱穀装置４の後部の側方まで延びている。図２に示すように、上カバー部５１の前部は穀粒タンク５の前端部５ａよりも前部側まで延ばされており、後部は穀粒タンク５の後端部に相当する位置まで延ばされている。
【００５４】
図３，４，５に示すように、上カバー部５１及び横カバー部５２は、排気管３５のうち、第１排気管部３５Ａ及び第２排気管部３５Ｂの上方並びに穀粒タンク５側の側方を覆うように設けられている。言い換えると、排気管３５のうち第１排気管部３５Ａ及び第２排気管部３５Ｂは、上カバー部５１の下方位置を、平面視において二番物還元装置２６の上方位置からエンジン７側の排気口である排気筒３６ａの出口まで直線状又は略直線状に延びている。
【００５５】
図４，５に示すように、上カバー部５１は、左右方向一方側（脱穀装置４側）の端縁部が脱穀装置４の側壁１４の上端部に複数箇所ボルト連結にて固定され、左右方向他端側が穀粒タンク５側に向けて水平姿勢で片持ち状に延出されている。図３に示すように、上カバー部５１における前部の左右方向他端側箇所が、支持部材５３を介して前部側横向きフレーム４３に支持されている。図４，５に示すように、上カバー部５１における後部の左右方向他端側箇所が、中間傾斜フレーム４６に支持されている。
【００５６】
揚穀装置２０を脱穀装置４に支持する連結用ステー２２が、上カバー部５１の上方を通されている。すなわち、連結用ステー２２と上カバー部５１とは分離されている。この構成では、エンジン７が作動しているときに、排気管３５の熱が上カバー部５１に伝わることがあっても、上カバー部５１から熱が連結用ステー２２を介して揚穀装置２０に伝わるおそれが少ない。
【００５７】
図５に示すように、カバー５０のうち横カバー部５２は、上カバー部５１の穀粒タンク５側の端部から下方に延びる平板形状に形成されている。図３に示すように、横カバー部５２の下端は、二番物還元装置２６の上端部まで延ばされており、排気管３５と二番物還元装置２６の上端部との間の空間の横側方が横カバー部５２によって覆われている。
【００５８】
図３に示すように、横カバー部５２は第１排気管部３５Ａの側方を覆っている。横カバー部５２は、後上がり姿勢の第１排気管部３５Ａの側方を有効に覆うように、前部側が幅広で後部側に向かうほど順次幅狭になるように形成されている。
【００５９】
二番物還元装置２６の後部側に中間傾斜フレーム４６が備えられている。中間傾斜フレーム４６が備えられる箇所を通して横カバー部５２を後方側に延長すると、この中間傾斜フレーム４６に干渉するので、横カバー部５２は、中間傾斜フレーム４６の前後で、前部横カバー部５２ａと後部横カバー部５２ｂとに分離されている。中間傾斜フレーム４６よりも後部側に位置する後部横カバー部５２ｂは、排気管３５の側方を覆うことができる程度の上下幅に設定されている。
【００６０】
前部横カバー部５２ａの前端部の上下向き縁部は、支持部材５３を介して前部側横向きフレーム４３に支持されるとともに、ブラケット５５を介して前部側縦向きフレーム４２に支持されている。前部横カバー部５１ａの後端部の上下向き縁部は、ブラケット５６を介して中間傾斜フレーム４６に支持されている。後部横カバー部５２ｂは上下向き縁部がブラケット５７を介して中間傾斜フレーム４６に支持されている。
【００６１】
〔別実施形態〕
（１）上記実施形態では、横カバー部５２が穀粒タンク５の前端部５ａよりも前部側まで延ばされる構成としたが、横カバー部５２が穀粒タンク５の前端部と同じ位置、あるいは、それよりも後部側にまで延ばされる構成としてもよい。
【００６２】
（２）上記実施形態では、二番物還元装置２６が、脱穀装置４の下部に接続されて上向きに延びる二番縦搬送部２６Ａと、二番縦搬送部２６Ａの上端部から前向きに延びる二番横搬送部２６Ｂとを備える構成としたが、この構成に代えて、二番物還元装置２６が脱穀装置４との接続箇所から脱穀装置４の前側部分に向けて斜め上方に延び、上端部から直接に脱穀装置４内に穀粒を投入する構成としてもよい。
【００６３】
（３）上記実施形態では、上カバー部５１が揚穀装置２０と脱穀装置４との間を通って前後方向に長く延びる構成としたが、この構成に代えて、上カバー部５１が前部側の部分と後部側の部分とに分割形成されるものでもよい。
【００６４】
（４）上記実施形態では、排気管３５が、平面視において直線状又は略直線状に延びる構成としたが、この構成に代えて、平面視で折れ曲がり状に延びる構成としてもよい。
【００６５】
（５）上記実施形態では、排気管３５が、脱穀装置４並びに穀粒タンク５夫々の後端部よりも後方側に延びているものを示したが、これに代えて、排気管３５の後端部が脱穀装置４や穀粒タンク５の後端部よりも前部側に位置するものでもよい。
【００６６】
（６）上記実施形態では、穀粒貯留部として穀粒タンク５を備える構成としたが、ホッパー形式の穀粒貯留部を備える構成としてもよい。
【産業上の利用可能性】
【００６７】
本発明は、普通型のコンバインの他、自脱型コンバインにも適用できる。
【符号の説明】
【００６８】
３        運転部
４        脱穀装置
５        穀粒タンク
５ａ      前端部
７        エンジン
１４      側壁
２０      揚穀装置
２１      上部入口
２２      ステー
２６      二番物還元装置
３５      排気管
３５Ａ    第１排気管部
３５Ｂ    第２排気管部
３５Ｃ    後部
５０      カバー
５１      上カバー部
５２      横カバー部
【図１】
2018139545.tif 000003
【図２】
2018139545.tif 000004
【図３】
2018139545.tif 000005
【図４】
2018139545.tif 000006
【図５】
2018139545.tif 000007